Podtech/llm-jp-corpus-v4-ja_patent huggingface dataset:
(57)【特許請求の範囲】
【請求項１】
柔軟な物体を切断する装置であって、被切断物を載せるための、一端に止板を備えたテーブル、止板と協働して被切断物をテーブル上に固定する固定手段、切断のための刃物とその駆動手段、および切断を進行させるためにテーブルと刃物とを相対的に移動させる手段からなる切断装置において、固定手段が、テーブル上の止板とそれに対して被切断物を押しつける押圧装置とからなり、この押圧装置が、傾いたＬ字型のバックアップフレームとその両端に張った柔軟なタッチセンサー、およびタッチセンサーを被切断物に押しつけ、また開放するためにバックアップフレームを前進後退させる移動手段を備え、タッチセンサーが被切断物に接触したことを検知したところで、バックアップフレームを停止して被切断物を止板に向けて固定するように構成したことを特徴とする切断装置。
【請求項２】
押圧装置に、タッチセンサーの張力を調節するための手段を設けた請求項１の切断装置。
【請求項３】
プラスチック気泡シートを切断するための、請求項１または２の切断装置。
【発明の詳細な説明】
【０００１】
【発明の属する技術分野】
本発明は、柔軟な物体を安全に切断するための切断装置に関する。
【０００２】
【従来の技術】
たとえば、プラスチック発泡シートをコイル状に巻いたものを、一定の幅にスリットする場合、コイルをテーブル上に置き、稼働している刃物、代表的にはバンドソーや丸鋸のようなノコギリ刃に向けて押しやり、切断を行なう。同様な作業は、プラスチック気泡シート、すなわち、真空成形により多数の突起を設けたプラスチック製のキャップフィルムの突起の底面に、平坦なプラスチック製のバックフィルムを貼り合わせてなるプラスチック加工品を、コイルに巻き取ったものに関しても必要である。
【０００３】
上記のようなコイル状の物品の切断は、切断する幅が変化するなどの事情で、多くの場合に手動で、つまり、被切断物を手で刃物に向けて押しやることにより行なう。このような作業は危険が伴うから、自動的でないにせよ、刃物に人が近よらないで行なえるようにすることが望ましい。しかし、プラスチック発泡シートやプラスチック気泡シートのような柔軟な物品のコイルは、わずかな外力によっても容易に変形するから、それに加える力を微妙に調節できないと、所望のスリット製品を得ることは困難である。
【０００４】
【発明が解決しようとする課題】
本発明の目的は、上記のような技術の現状にかんがみ、プラスチック発泡シートやプラスチック気泡シートのコイルに代表される、柔軟な物品の刃物による切断を安全に実施できる切断装置を提供することにある。
【０００５】
【課題を解決するための手段】
上記の目的を達成する本発明の切断装置は、柔軟な物体を切断する装置であって、図１に装置全体の平面図を、図２に側面図を示すように、被切断物を載せるための、一端に止板（２）を備えたテーブル（１）、止板と協働して被切断物をテーブル上に固定する固定手段、切断のための刃物（３）とその駆動手段（図示してない）、および切断を進行させるためにテーブルと刃物とを相対的に移動させる手段（図示してない）からなる切断装置において、固定手段が、テーブル上の止板（２）と、それに対して被切断物を押しつける押圧装置（４）とからなり、この押圧装置（４）が、傾いたＬ字型のバックアップフレーム（５）とその両端に張った柔軟なタッチセンサー（６）、およびタッチセンサーを被切断物に押しつけ、また開放するためにバックアップフレームを前進後退させる移動手段（７）を備え、タッチセンサーが被切断物に接触したことを検知したところで、バックアップフレームを停止して被切断物を止板に向けて固定するように構成したことを特徴とする。
【０００６】
【発明の実施形態】
タッチセンサー（６）の代表的な構造は、柔軟なチューブ状体の中に２本の導体を、わずかな距離をおいて配置したものであって、チューブが物体に接触すると、２本の導体の間に電気的な導通が生じることにより、接触を検知するようにするものである。接触を検知する相手の物体の硬軟に応じて、チューブの張力を調節し、軟らかければ緩やかにすることが望ましい。この目的を達成するための手段として、たとえば図２に符号（８）で示した、小さなエアシリンダーのような張力調節手段を付属させることが好ましい。
【０００７】
本発明の切断装置は、つぎのようにして使用する。まず、切断しようとする柔らかな物体（９）、たとえば気泡シートのコイルをテーブル（１）上に置き、バックアップフレーム（５）を、移動手段（７）により上記のコイルに向けて移動させる。図３に示すように、移動して行ったバックアップフレームの両端に張ったタッチセンサー（６）が、コイル（９）に接触すると、接触したことがセンサーの出力する電気信号として検知されるから、そこで移動をやめ、コイルを止板（２）に向けて固定する。このとき、タッチセンサー（６）の張力を、切断しようとするものの固さ・柔らかさに応じて調節しておけば、必要な限度までの力を加えることができ、軟らかいものを不相当に歪ませることを避けて固定することができる。
【０００８】
つぎに、切断すべき物体を固定したテーブル（１）を、切断のための刃物、図示した例ではバンドソー（３）に向けて移動させる。この移動は相対運動であって、テーブルを固定しておいて刃物を動かしても、刃物を固定しておいてテーブルを動かしても、また両者を動かしてもよいことはいうまでもない（図１および図２は、刃物を固定しておいてテーブルを動かす例である）。切断が終わったならば、スリット作業の場合は、バックアップフレーム（５）を後退させて、タッチセンサー（６）が接触の無くなったことを知らせたところで、切断すべき物体（９）をその長手方向に所定量移動させる。この移動は、適宜のエアシリンダーなどを使用して、自動的に実施することが容易である。所定量の移動をしたならば、上記の操作を繰り返すことにより、二度目のスリットを実施する。
【０００９】
【発明の効果】
以上の操作は、すべてマイコン制御により自動化することができるし、全自動化するに至らなくても、被切断物を固定したのちは手作業で切断をする必要がない態様を実現することが容易であって、切断に伴うさまざまな危険を回避することができるから、プラスチック気泡シートなどの柔らかい物体を切断する作業が安全かつ効率的に実施できる。
【図面の簡単な説明】
【図１】  本発明の切断装置の一例について、全体の構成を示す側面図。
【図２】  図１の装置の平面図。
【図３】  図１の装置において、被切断物を固定する段階を示す、主要部の側面図。
【符号の説明】
１  テーブル
２  止板
３  刃物（バンドソー）
４  押圧装置
５  バックアップフレーム
６  タッチセンサー
７  （フレームの）移動手段
８  張力調節手段（エアシリンダー）
９  被切断物（コイル）
【図１】
0004258153.tif 000002
【図２】
0004258153.tif 000003
【図３】
0004258153.tif 000004
(57)【特許請求の範囲】
【請求項１】
アーク室と、
前記アーク室に連結されたアマルガムチップであって、当該アマルガムチップの深さより小さい距離に亘り当該アマルガムチップ内に入り込んでいる狭い管状延長部分を介して前記アーク室の空間と連絡しているアマルガムチップと、
前記アマルガムチップ内に含有されるアマルガムと、
を有する無電極のアーク放電ランプであって、
前記管状延長部分が、前記アーク放電ランプと一体的に形成されており、
前記アマルガムチップが決められた深さを有し、
前記アマルガムチップが前記深さの８０〜１００％である内径を有し、
前記管状延長部分が前記深さの１０〜２０％である内径を有することを特徴とする、無電極のアーク放電ランプ。
【請求項２】
前記アマルガムがビスマスを含有する、請求項１記載のアーク放電ランプ。
【請求項３】
前記管状延長部分が前記深さの約４０％の長さを有する、請求項１又は２に記載のアーク放電ランプ。
【発明の詳細な説明】
【０００１】
【発明の属する技術分野】
本発明は、アーク放電ランプ用アマルガム保持装置、より詳しくは無電極ランプ用アマルガム保持装置に関する。
【０００２】
【従来の技術】
多くのアーク放電ランプはアーク電流中の水銀の存在での運転に依存する。ランプが運転しない場合に水銀が元素の水銀としてまたは固体または液体のアマルガムとして存在する。一部の種類のランプ、特に無電極の蛍光ランプにおいて、固体または液体のアマルガムがアーク環境内に置かれないことが重要であり、これはランプのルーメン出力およびルーメン−温度効率を変化することがある（特許文献１および特許文献２参照）。これは特にアマルガムがビスマスを含む場合に該当する。
【０００３】
【特許文献１】
米国特許第６１７５１９７号明細書
【特許文献２】
米国特許第５８３４９０５号明細書
【０００４】
【発明が解決しようとする課題】
従って本発明の課題は、技術水準の欠点を取り除くことである。
【０００５】
本発明のもう１つの課題は、アーク放電ランプの運転を強化することである。
【０００６】
本発明のもう１つの課題は、無電極の蛍光ランプの運転を強化し、寿命を増加することである。
【０００７】
【課題を解決するための手段】
これらの課題は、本発明の１つの構成により、アーク室と、前記アーク室に連結されたアマルガムチップであって、当該アマルガムチップの深さより小さい距離に亘り当該アマルガムチップ内に入り込んでいる狭い管状延長部分を介して前記アーク室の空間と連絡しているアマルガムチップと、前記アマルガムチップ内に含有されるアマルガムと、を有するアーク放電ランプを提供することにより解決される。アマルガムはアマルガムチップ内に含有されている。アマルガムチップは液体または固体の状態で存在する場合にアマルガムを含有するために十分な容積を有し、狭い管により必要な水銀蒸気がアーク室に侵入することを可能にする。この構成は任意の位置でのランプの運転を可能にし、最も高い所にアマルガムチップを有する構成を含む。
【０００８】
【実施例】
図１は無電極ランプの平面図であり、図２は本発明によるアマルガムチップの断面図である。
【０００９】
本発明をよりよく理解するために、発明の対象、利点および可能性と一緒に以下の開示内容および請求の範囲を前記図面とともに言及する。
【００１０】
図１に無電極のランプ１０が示され、該ランプは明らかに説明するために省略した外部電気的結合部を有する。このランプは前記米国特許明細書に示される形式のランプ、すなわち低圧の無電極蛍光ランプであってもよい。ランプ１０は、ランプ１０と連結し、ランプ１０と一体的に形成された狭い管１４を介してランプ１０の内部に連絡しているアマルガムチップ１２を有し、アマルガムチップはビスマスを含有するアマルガム１６を含有する。管１４は図２に最も明らかにされている。
【００１１】
本発明の有利な構成において、チップ１２は深さＬを有し、管１４は長さＬ１を有し、Ｌ１はＬの約４０％である。チップ１２は有利には内径Ｌ２を有し、Ｌ２はＬの約８０〜１００％であり、管１４は内径Ｌ３を有し、Ｌ３は有利にはＬの１０〜２０％である。
【００１２】
特別の構成において、チップ１２は内部深さ１０ｍｍおよび内径８〜１０ｍｍを有することができる。管１４は内部長さ４ｍｍおよび内径１〜２ｍｍを有する。この構成は、ランプが運転される任意の位置で液体または固体のアマルガムを含有する豊富な容積を提供し、アマルガムチップ１２が最も高い所に存在する取り付けを含む。ランプが運転する場合に、管１４は必要な水銀蒸気がアーク室に導入することを容易に実現する。必要な蒸気状態を達成するために十分に高い温度に水銀が加熱することを保証するために、米国特許第６１７５１９７号明細書に記載されるように、変形コアとアマルガムの間にサーマルブリッジを備えることができる。
【００１３】
本発明の有利な構成であると思われることは説明したが、請求項により定義される本発明の範囲から逸脱することなく種々の変形が可能であることは当業者に明らかなことである。
【図面の簡単な説明】
【図１】本発明の無電極ランプの平面図である。
【図２】本発明のアマルガムチップの断面図である。
【符号の説明】
１０  ランプ、  １２  アマルガムチップ、  １４  管、  １６  アマルガム
【図１】
0004227383.tif 000002
【図２】
0004227383.tif 000003
(57)【特許請求の範囲】
【請求項１】
精白米を洗米除菌した後に、米由来の乳酸菌で乳酸発酵させ、発酵物を乾燥粉末化して乳酸菌パウダーとし、前記パウダーを餌料の一部として混合してなることを特徴とするペットフード。
【請求項２】
乳酸菌パウダーとマイタケ粉末を、餌料の一部として混合してなる請求項１記載のペットフード。
【請求項３】
乳酸菌パウダーを混合造粒して、主餌材に混合してなる請求項１記載のペットフード。
【請求項４】
乳酸菌パウダーとマイタケ粉末を混合造粒して、主餌材に混合してなる請求項２記載のペットフード。
【発明の詳細な説明】
【０００１】
【産業上の利用分野】
本発明は、ペットの体調不全に対する予防的効果を有するペットフードに関するものである。
【０００２】
【従来技術】
イヌやネコなどの家庭での飼育に際して工場生産されたペットフードが餌料として使用されている。これらのペットフードには、ペットの疾病に対して種々の薬理成分を含有したペットフードも多数提案されている。
【０００３】
特に本発明は乳酸菌含有餌料に着目したもので、従前の乳酸菌含有のペットフードは、特開平６−２１７７１０号公報及び同７−１９４３１７号公報に示されている。前者はペットの皮膚疾患予防並びに治療を目的とし、整腸剤として各種乳酸菌を含有させることが開示されている。ただし乳酸菌の由来については何ら特定されていない。また後者は、腸内常在乳酸菌を含有させて、免疫機能増強作用並びに抗炎症作用の効果のあるものとしている。
【０００４】
【発明が解決しようとする課題】
ところでペットの食事も現代人と同様に過食となっており、肥満による成人病と同様な疾患が増加している。これは過食と同時にペットフード自体にも問題がある。本来イヌやネコは、動物質のものを適度に食餌すれば充分であり、成人病類似の疾患は生ずることはないが、過食のために種々の成人病同様疾患が生ずると認められる。そうすると人間と同様に食餌に植物質のものを加え、栄養バランスの良い食餌とすれば良いが、穀物などのデンプン質や繊維質等の植物質のものは、本来肉食動物であるペットには好まれない。ペットが好む食餌は、基本的に肉類や魚類の動物蛋白質を主材としている。勿論必要に応じてビタミンや無機質等の各種栄養素を添加している。
【０００５】
そこで本発明は、植物質の添加と乳酸菌の含有を的確に実現できると共に、ペットの健康維持を実現する新規なペットフードを提案したものである。
【０００６】
【課題を解決する手段】
本発明は、植物由来の乳酸菌の使用によって、整腸作用を備えた乳酸菌添加と同時にデンプン質等の含有を実現することを見出し、またマイタケ含有成分をイヌやネコに食させると、便秘傾向の改善や、整腸作用をも具備することを知見して、前記課題を解決したものである。
【０００７】
即ち本発明に係るペットフードは、精白米を洗米除菌した後に、米由来の乳酸菌で乳酸発酵させ、発酵物を乾燥粉末化して乳酸菌パウダーとし、前記パウダーを餌料の一部として混合してなることを特徴とするものである。
【０００８】
また前記乳酸菌パウダーとマイタケ粉末を、餌料の一部として混合したり、 乳酸菌パウダー単独若しくはマイタケ粉末を混合造粒して、主食材に混合してなるものである。
【０００９】
而してペットフードの製造過程で乳酸菌パウダー又はマイタケ粉末追加を混合したペットフードをペットに与えたり、両粉末を造粒して主餌材に混入してペットに与えると、乳酸菌パウダーには、乳酸菌が多量に存在するので、整腸作用があり、またデンプンが加熱程度が低く生デンプンの場合には消化されずに繊維質のような働きがあり、また加熱されていると消化摂取され、速効性のエネルギーとなる。更にマイタケ含有物は、種々の薬効成分を含有し、便秘傾向の改善が認められる。
【００１０】
【発明の実施形態】
次に本発明の実施例について説明する。実施例は、乳酸菌パウダーや粉末マイタケの造粒物を、市販のペットフード（ドックフード）に添加し、イヌ（検体）に食餌として与え、その体調を確認することで行った。
【００１１】
造粒物に使用する乳酸菌パウダーは、精白米を洗米除菌した後に、米由来の乳酸菌で乳酸発酵させ、乾燥させた後、残留粒状物を粉砕して粉末状体としたもので、一部生菌も含む多量の乳酸菌と、デンプンとを有すると共に、前記デンプンは、通常の米デンプンよりも油脂分と馴染み良い性質に変化している。
【００１２】
そして前記の乳酸菌パウダーを４００グラム（第二検体用）、乳酸菌パウダー２８０グラムとマイタケ粉末１２０グラムとを良く混合したもの（第三検体用）、乳酸菌パウダー２００グラムとマイタケ粉末２００グラムとを良く混合したもの（第四検体用）に、それぞれ水２００ｍｌに蜂蜜１５０グラムを溶解した液体を少しづつ加えて全体を均一に練り上げ、適宜な大きさに造粒し、熱風乾燥して三種類の試験用ペットフード添加物を形成した。この三種類の造粒物を市販のドックフードに毎日２０グラム添加した食餌と、なにも添加しない食餌（第一検体用）を第一検体から第四検体に与え、その体調を観察したのが下記表のとおりである。
【００１３】
尚第一検体の犬種は、ラブラドールレトリバー雄４歳、第二検体の犬種は、ラブラドールレトリバー雄１歳、第三検体の犬種は、バーニーズマウンテンドック雄１０ヶ月、第四検体の犬種は、ゴールデンレトリバー雄六ヶ月である。
【００１４】
評価はＡ：大変良い、Ｂ：普通、Ｃ：やや悪い、Ｄ：悪い、の四段階評価であり、※マークは、犬フィラリア症予防・消化管内線虫駆除剤を投与したもので、同剤を投与すると通常腸の機能が低下する。
【００１５】
【表１】
0004227690.tif 000002
【００１６】
【表２】
0004227690.tif 000003
【００１７】
第一に第二、三、四検体何れも、造粒物を添加した食餌を、何らいやがらずに喜んで食べた。次に動作についても以上が認められない。また予防剤の投与によって人工的に体調不全状態としても、造粒物を与えない第一検体は、回復に時間を要するが、造粒物を与えた検体は、予防剤の影響が少なく、且つ回復も早いことが認められる。
【００１８】
従って乳酸菌パウダー又は乳酸菌パウダーにマイタケ粉末を混合して製出した造粒物を一般のペットフードに添加して与えると、ペットの体調維持に充分なる効果を有することが確認できた。
【００１９】
また本発明は、前記実施形態で示した造粒物を通常のペットフードに混合することに限定されるものではなく、ペットフードの製造過程における各種原料のミキシング工程で乳酸菌パウダー単独若しくはマイタケ粉末と共に、所定量添加混合すれば良いし、又は前記造粒物を混合しても良い。勿論製出されるペットフードがドライタイプ、ウエットタイプ、ソフト、セミモイストタイプの何れでも良いことはいうまでもない。
【００２０】
【発明の効果】
以上のように本発明は、精白米を洗米除菌した後に、米由来の乳酸菌で乳酸発酵させ、発酵物を乾燥粉末化して乳酸菌パウダーとし、このパウダー単独若しくはマイタケ粉末とあわせて餌料の一部としたペットフードで、油脂分と馴染みのよいデンプン質を含ませることで、ペットに抵抗無くデンプン質の補給ができるとともに、乳酸菌の整腸作用やマイタケ粉末の薬効成分を摂取させて、ペット体調維持に効果あらしめたものである。
(57)【特許請求の範囲】
【請求項１】
トランスの補助巻線と、前記補助巻線に発生する交流電圧を直流電圧に変換する整流平滑回路と、前記直流電圧が所定の値を下回ると発振が停止する低電圧禁止回路を有する発振制御回路と、前記発振制御回路によって駆動される主スイッチ素子からなるフライバックコンバータにおいて、前記補助巻線の一方の端子と前記整流平滑回路の間に可飽和インダクタを直列に挿入し、かつ、前記可飽和インダクタの前記整流平滑回路側の端子と前記補助巻線の前記可飽和インダクタが接続されている端子と反対側の端子との間にダイオードと抵抗とからなる直列回路を接続し、これによって過電流時の垂下特性を改善したことを特徴とするフライバックコンバータ。
【発明の詳細な説明】
【０００１】
【産業上の利用分野】
本発明はスイッチング電源装置に関する。
【０００２】
【従来の技術】
従来、フライバックコンバータの過電流時の垂下特性は、過電流になって出力電圧が低下すると補助巻線から得られる直流電圧も低下するので、発振制御回路が有している低電圧禁止回路によって発振が停止することを利用していた。
【０００３】
【発明が解決しようとする課題】
上に示した従来方式を入力電圧の範囲が広いフライバックコンバータに用いると、入力電圧が高いとき程出力電圧が下がっても補助巻線から得られる直流電圧の下がり方が鈍くなり、低電圧禁止回路がなかなか働かず、その結果、入力電圧が低いときに発振が停止する電流より、より大きな電流が流れるという欠点がある。
【０００４】
本発明は、このような欠点を除去するためのもので、過電流時の垂下点が、広い入力電圧範囲に渡って、同じ値になるフライバックコンバータを提供することを目的としている。
【０００５】
【課題を解決するための手段】
上の目的を達成するために本発明は、補助巻線と整流平滑回路の間に可飽和インダクタと、この可飽和インダクタに適当なリセット電流を供給するダイオードと抵抗とからなる直列回路に接続した。
【０００６】
【作用】
オフ期間に補助巻線に生じるフライバック電圧は、可飽和インダクタを介して整流平滑回路に加わり直流電圧に変換される。そして、オン期間に補助巻線に生じるフォワード電圧は、ダイオードと抵抗を介して、可飽和インダクタに加わり可飽和インダクタをリセットする。
【０００７】
リセットとは、飽和磁束密度に達したコアを元の磁束密度に戻すことを指しているが、フォワード電圧が高い程、リセットの量が大きく、次のオフ期間で可飽和インダクタが飽和するまでの期間が長くなる。一方、可飽和インダクタが飽和するまでは、可飽和インダクタそのもののインピーダンスが高いために整流平滑回路に供給される電流が絞られ、直流電圧は下がる。
【０００８】
すなわち、入力電圧が高い程、補助巻線のフォワード電圧も高くなるので、整流平滑回路の直流電圧が下がり、低電圧禁止回路が働きやすくなる。
【０００９】
【実施例】
図１は本発明の実施例に係るフライバックコンバータを示す回路図である。
【００１０】
図１に示した回路において、オフ期間に補助巻線２によって発生する電流は可飽和インダクタ５を通り、ダイオード３とコンデンサ４によって整流平滑される。可飽和インダクタ５は、飽和するまでは比較的高いインピーダンスを有するので、飽和するまでの時間を変えてやることによって、コンデンサ４に充電される電圧を変えることができる。
【００１１】
オン期間に補助巻線２によって発生する負の電流は、ダイオード６と抵抗７を通り、可飽和インダクタ５に流れる。この負の電流の絶対値は入力電圧が高い程大きいので、入力電圧が高い程、可飽和インダクタの磁束密度の負の変化分が大きくなり、補助巻線２に発生する正の電圧に対して飽和するまでの期間が長くなる。すなわち、コンデンサ４に充電される電圧は入力電圧が高い程低くなり、入力電圧が高いとき程補助巻線２から得られる直流電圧が過電流時に下がりにくいという従来方式の欠点を埋めることができ、これによって広い入力電圧範囲において、過電流時の垂下点のバラツキを抑えることができる。
【００１２】
【発明の効果】
フライバックコンバータを広い入力電圧の条件で用いるとき、垂下点のバラツキが問題になるが、本発明によりわずかな部品の追加で特性の改善ができるので応用範囲が広い。
【図面の簡単な説明】
【図１】本発明の実施例に係るフライバックコンバータを示す回路図である。
【符号の説明】
１  発振制御回路
２  トランスの補助巻線
３  ダイオード
４  コンデンサ
５  可飽和インダクタ
６  ダイオード
７  抵抗
１１  ＭＯＳＦＥＴ
１２  トランスの１次巻線
１３  トランスの２次巻線
１４  直流電源
１５  ダイオード
１６  コンデンサ
１７  負荷回路
【図１】
0004232127.tif 000002
(57)【特許請求の範囲】
【請求項１】
貫通孔(3)を有し光(2a)を導光するため航空機の計器盤に固定された板状のライティングパネル(1)と、前記ライティングパネル(1)の両側に配設された発光体(2)と、前記貫通孔(3)内に押入自在に位置すると共に正面側からみて全体形状が円盤形をなすと共にその表面(4a)の周縁に輪状のテーパ部(5)を有する押ボタン(4)と、前記押ボタン(4)に軸(6)を介して接続されると共に前記計器盤に固定され前記押ボタン(4)の押入動作に連動して作動するスイッチ又はブレーカからなる切換え機能部(7)とを備え、前記発光体(2)からの光(2a)は前記ライティングパネル(1)内をその面と平行な状態で導光され、前記貫通孔(3)の内周は塗料等を施すことなく前記光(2a)が前記貫通孔(3)内へ入光するように構成され、前記押ボタン(4)を押入した場合、前記テーパ部(5)は前記ライティングパネル(1)の前面(1a)より内方へ押入され、前記ライティングパネル(1)内の光は前記テーパ部(5)に照射されて反射することにより、前記押ボタン(4)の光の変化によって前記押ボタン(4)が押入されたことを認識できることを特徴とする非自発光型スイッチ構造。
【発明の詳細な説明】
【０００１】
【発明の属する技術分野】
本発明は、非自発光型スイッチ構造に関し、特に、ライティングパネルの貫通孔内に押ボタンを移動自在とし、押ボタンを押入した時に押ボタンの表面に光が照射されて押ボタンの押入動作を確認することができるようにするための新規な改良に関する。
【０００２】
【従来の技術】
従来、用いられていた航空機等の分野で使用する非自発光型スイッチ構造としては、社内製作であるために、特許文献及び非特許文献を開示していないが、非自発光型で自発光型と同様の機能を有し、かつ、ＭＩＬ規格等の規格をクリアできるものは未開発であった。
【０００３】
【発明が解決しようとする課題】
従来のスイッチ構造においては、自発光型のスイッチ構造は開発されていたが、非自発光型の開発はなく、業界においてはその開発が切望されていた。
【０００４】
本発明は、以上のような課題を解決するためになされたもので、特に、ライティングパネルの貫通孔内に押ボタンを移動自在とし、押ボタンを押入した時に押ボタンの表面に光が照射されて押ボタンの押入動作を確認することができるようにした非自発光型スイッチ構造を提供することを目的とする。
【０００５】
【課題を解決するための手段】
本発明による非自発光型スイッチ構造は、貫通孔を有し光を導光するため航空機の計器盤に固定された板状のライティングパネルと、前記ライティングパネルの両側に配設された発光体と、前記貫通孔内に押入自在に位置すると共に正面側からみて全体形状が円盤形をなすと共にその表面の周縁に輪状のテーパ部を有する押ボタンと、前記押ボタンに軸を介して接続されると共に前記計器盤に固定され前記押ボタンの押入動作に連動して作動するスイッチ又はブレーカからなる切換え機能部とを備え、前記発光体からの光は前記ライティングパネル内をその面と平行な状態で導光され、前記貫通孔の内周は塗料等を施すことなく前記光が前記貫通孔内へ入光するように構成され、前記押ボタンを押入した場合、前記テーパ部は前記ライティングパネルの前面より内方へ押入され、前記ライティングパネル内の光は前記テーパ部に照射されて反射することにより、前記押ボタンの光の変化によって前記押ボタンが押入されたことを認識できる構成である。
【０００６】
【発明の実施の形態】
以下、図面と共に本発明による非自発光型スイッチ構造の好適な実施の形態について説明する。
図１において符号１で示されるものはアクリル等の透明性の導光性部材からなる板状のライティングパネルであり、このライティングパネルは航空機等の操縦室の計器盤に固定されている。
【０００７】
前記ライティングパネル１の側部位置には、その両側に発光体２が配設され、この発光体２からの光２ａは前記ライティングパネル１内をその面と平行な状態で導光されるように構成されている。
【０００８】
前記ライティングパネル１には、その厚さ方向に貫通して形成された貫通孔３が形成され、この貫通孔３内には押ボタン４が実線及び点線で示される位置に沿って押入自在すなわち移動自在に位置して配設されている。
前記貫通孔３の内周は塗料等を施すことなく前記光２ａが貫通孔３内へ入光するように構成されている。
【０００９】
前記押ボタン４は、正面側からみると全体形状が円盤形すなわち丸形をなしていると共に、その表面４ａの周縁には、輪状に形成されたテーパ部５が設けられている。
【００１０】
前記押ボタン４には、軸６を介して切換え機能部７が接続されており、この切換え機能部７は前記計器盤側に固定されている。
前記切換え機能部７は、周知のスイッチ又はブレーカ等の切換え機能を有しており、押ボタン４を実線から点線の状態に押すことにより、前記スイッチ又はブレーカの切換えが行われるように構成されている。
【００１１】
前記押ボタン４が実線の位置から点線の位置まで押入されることにより、前記テーパ部５はライティングパネル１の前面１ａより内方へ押入され、ライティングパネル１内の光はこのテーパ部５に照射されて反射することにより、押ボタン４の光の変化によって押ボタン４が押入されたことを認識することができる。
【００１２】
【発明の効果】
本発明による非自発光型スイッチ構造は、以上のように構成されているため、次のような効果を得ることができる。
すなわち、導光性のライティングパネルに形成された貫通孔内に切換え機能部の押ボタンを押入自在に設け、押ボタン押入時の押ボタンに照射する光の変化を利用して、スイッチの作動状態を認識することができる。
また、従来の照光式（自発光式）押ボタンでない非自発光式の押ボタンスイッチを用いることができ、スイッチ採用の選択の幅を広げることができ、さらに、自発光式のスイッチに比べると、大幅にコストダウンが可能で、かつ、消費電力を少なくすることができる。
【図面の簡単な説明】
【図１】  本発明による非自発光型スイッチ構造を示す構成図である。
【符号の説明】
１    ライティングパネル
１ａ    前面
２    発光体
２ａ    光
３    貫通孔
４    押ボタン
４ａ    表面
５    テーパ部
６    軸
７    切換え機能部
【図１】
0004232147.tif 000002
(57)【特許請求の範囲】
【請求項１】
端子ピン(2)を有し全体形状が輪状をなすと共に輪状ステータに設けられる絶縁キャップ(1)を、アンダーカバー(6)と上カバー(5)で挟持するようにした回転検出器のカバー固定構造において、前記アンダーカバー(6)に一体に突出して形成され前記絶縁キャップ(1)の開孔(22)を貫通して配設された突出部(21)を有し、前記突出部(21)の頂面(21a)と前記上カバー(5)の裏面(5a)とは溶着により一体結合していることを特徴とする回転検出器のカバー固定構造。
【請求項２】
前記裏面(5a)には、複数の突起(3)が形成され、前記各突起(3)が前記溶着時に溶けるように構成されていることを特徴とする請求項１記載の回転検出器のカバー固定構造。
【発明の詳細な説明】
【０００１】
【発明の属する技術分野】
本発明は、回転検出器のカバー固定構造に関し、特に、アンダーカバーの突出部を絶縁キャップの開孔に貫通させ、この突出部と上カバーとを溶着することにより、溶着時間の短縮及び溶着時の巻線の断線等を防止するための新規な改良に関する。
【０００２】
【従来の技術】
従来、用いられていたこの種の回転検出器のカバー固定構造としては、一般に図４で示される構造が採用されている。
すなわち、図４において符号１で示されるものは、全体形状が輪状をなし図示しない輪状ステータに設けられている絶縁キャップ（一部を示している）であり、この絶縁キャップ１の一部には巻回された巻線（図示せず）の端線を接続して外部へ導出するための端子ピン２が組付方式によって一体に設けられている。
なお、この巻線は、前記絶縁キャップ１を介して前記輪状ステータの各磁極の外周すなわちスロット内に周知のように巻回されている。
【０００３】
前記絶縁キャップ１の一面１ａには、前記端子ピン２と共に溶着用の第１突起３が形成されていると共に、その他面１ｂにも溶着用の第２突起４が形成されている。
前記絶縁キャップ１の上部位置には、全体形状が輪状の上カバー５が設けられていると共に、その下部位置には全体形状が輪状のアンダーカバー６が設けられている。
【０００４】
前述の構成において、高周波溶着機によって、第１突起３を溶融させることにより前記一面１ａと前記上カバー５の裏面５ａとが溶着し、第２突起４を溶融させることにより前記他面１ｂとアンダーカバー６の上面６ａとが溶着することにより、絶縁キャップ１、上カバー５及びアンダーカバー６は互いに一体状に結合される。
【０００５】
【発明が解決しようとする課題】
従来の回転検出器のカバー固定構造は、以上のように構成されていたため、次のような課題が存在していた。すなわち、前述の従来構成においては、上カバーと絶縁キャップで１ケ所、絶縁キャップとアンダーカバーで１ケ所、合計２ケ所の溶着部２０を必要としているため、各樹脂部品同志を数十ＫＨｚの高い周波数で振動させた時の熱エネルギーで樹脂を溶かして溶着しているため、作業時間も長くなると共に、巻線に負荷が加わることとなりこの振動によって断線することもあり、歩留まりを向上させることが困難であった。
【０００６】
本発明は、以上のような課題を解決するためになされたもので、特に、アンダーカバーの突出部を絶縁キャップの開孔に貫通させ、この突出部と上カバーとを溶着することにより、溶着時間の短縮及び溶着時の巻線の断線等を防止するようにした回転検出器のカバー固定構造を提供することを目的とする。
【０００７】
【課題を解決するための手段】
本発明による回転検出器のカバー固定構造は、端子ピンを有し全体形状が輪状をなすと共に輪状ステータに設けられる絶縁キャップを、アンダーカバーと上カバーで挟持するようにした回転検出器のカバー固定構造において、前記アンダーカバーに一体に突出して形成され前記絶縁キャップの開孔を貫通して配設された突出部を有し、前記突出部の頂面と前記上カバーの裏面とは溶着により一体結合している構成であり、また、前記裏面には、複数の突起が形成され、前記各突起が前記溶着時に溶けるように構成されている。
【０００８】
【発明の実施の形態】
以下、図面と共に本発明による回転検出器のカバー固定構造の好適な実施の形態について説明する。なお、従来例と同一又は同等部分には同一符号を用いて説明する。
図１において符号１で示されるものは、全体形状が輪状をなし図示しない輪状ステータに設けられている絶縁キャップ（一部を示している）であり、この絶縁キャップ１の一部には巻回された巻線（図示せず）の端線を接続して外部へ導出するための端子ピン２が組付方式によって一体に設けられている。なお、この巻線は、前記絶縁キャップ１を介して前記輪状ステータの各磁極の外周すなわちスロット内に周知のように巻回されている。
【０００９】
前記絶縁キャップ１の端部位置には、貫通して形成された開孔２２が形成されており、この絶縁キャップ１の下部に設けられたアンダーカバー６の一体に形成された突出部２１は、この開孔２２を貫通して配設されている。
前記絶縁キャップ１の他面１ｂはアンダーカバー６の上面６ａと直接接合している。
【００１０】
前記上カバー５の裏面５ａには、複数の突起３が前記突出部２１に対応して形成されており、この各突起３は上カバー５と一体であるため同じ樹脂材料によって形成されている。
【００１１】
次に、前述の状態において、実際に上カバー５を絶縁キャップ１の一面１ａ側に固定する場合、突起３に超音波溶着機（図示せず）からの数十ＫＨｚの超音波信号を入射させることにより、各突起３は溶けて突出部２１の頂面２１ａに溶着し、上カバー５とアンダーカバー６とが一体状に接合し、絶縁キャップ１が上カバー５とアンダーカバー６とによって挟持された状態で保持されている。従って、溶着部２０は従来のような２ケ所ではなく１ケ所で済むことになる。
【００１２】
【発明の効果】
本発明による回転検出器のカバー固定構造は、以上のように構成されているため、次のような効果を得ることができる。
すなわち、アンダーカバーに形成された突出部が絶縁キャップの開孔を貫通し、この突出部の頂面と上カバーの裏面とが溶着によって一体結合しているため、１ケ所のみの溶着部によって上カバーとアンダーカバーとを一体結合することができる。そのため、従来よりも短時間で溶着を完了することができ、巻線への負荷を軽減し断線等を防止し、生産性及び歩留まりを向上させることができる。
【図面の簡単な説明】
【図１】本発明による回転検出器のカバー固定構造を示す要部の断面図である。
【図２】図１の右側面図である。
【図３】図１の溶着完了状態を示す断面図である。
【図４】従来の回転検出器のカバー固定構造を示す要部の断面図である。
【符号の説明】
１    絶縁キャップ
２    端子ピン
３    突起
５    上カバー
５ａ    裏面
６    アンダーカバー
２１    突出部
２１ａ    頂面
【図１】
0004232132.tif 000002
【図２】
0004232132.tif 000003
【図３】
0004232132.tif 000004
【図４】
0004232132.tif 000005
(57)【特許請求の範囲】
【請求項１】
厚さ１００〜２００μｍでＭＦＲ値が２０〜１００のプラスチックフィルムを挟んで、その両側に、合成繊維からなるウエブにニードルパンチを施した保護シート材を重ね合せ、これらを熱融着して一体化した、廃棄物処分場の遮水シートの保護シートであって、プラスチックフィルムが、遮水シート側への汚水の洩出を止める排水の役目を行っていることを特徴とする廃棄物処分場の遮水シートの保護シート。
【請求項２】
プラスチックフィルムがポリオレフイン系プラスチックフィルムであり、ウエブを構成する合成繊維がポリエステル繊維である請求項１記載の廃棄物処分場の遮水シートの保護シート。
【発明の詳細な説明】
【０００１】
【発明の属する技術分野】
この発明は一般廃棄物あるいは産業廃棄物である廃棄物の処分場において、処分場の地下に汚水が浸出することを防止するために敷設される遮水シートの保護シートに関する。
【０００２】
【従来の技術】
一般廃棄物をはじめとして産業廃棄物を処分する処分場のうち、安定型処分場と管理型処分場においては、処分場の周壁や地下に有害物質を含む汚水が洩出しないように、処分場の地面に接する部分に、遮水シートとしてポリ塩化ビニルシートやターポリン等が敷き詰められ、この遮水シートの上に、遮水シートがダンプカーの進行、廃棄物の投棄、重機械の作業等によって、破損され、ここから汚水が洩出しないように保護シートが遮水シートの上に敷き詰められるのが通常であり、この保護シートとしては天然繊維あるいは合成繊維からなるマットやフエルトが使用されていた。
【０００３】
【発明が解決しようとする課題】
この保護シートであるマットやフエルトは衝撃に対する緩衝には有効であるものの、引裂きに対する強度にいささかの不安があり、この不安を解消するには保護シートの厚さを増加させることであるが、厚みの増加に伴い、当然のことながらコストの上昇を招くものであり、また厚みの増加に伴い単位面積当りの重量も増加することとなって処分場の底面である箇所は別として処分場の周壁面でる傾斜地に敷き詰める際の作業には容易ではない。
これらの点に鑑み、この発明にあっては従来のものと同様の厚さであっても弾力も充分にありながら引裂きに対する強度がより一層強い保護シートを提供することを課題とする。
【０００４】
【課題を解決するための手段】
前記した課題を達するため、この発明は、プラスチックフイルム１を挟んでその両側に、合成繊維からなるウエブにニードルパンチ２を施した保護シート材３，３′を重ね合せ、これらを熱融着４して一体化した廃棄物処分場の遮水シートの保護シートである。
【０００５】
この発明にあってはプラスチックフイルムは各種のプラスチックフイルムを用いることができるが、これらのうちポリオレフイン系のプラスチックフイルム、例えばポリエチレンフイルムは好ましく用いられる。
その厚さはほぼ６０〜５００μの範囲内であり、好ましくは１００μ〜２００μ程度である。またフエルトを構成する合成樹脂の種類は特に限定されないが例えばポリエステル繊維は好ましく用いられる。
【０００６】
この発明にあっては保護シートの厚さは、特に限定されるものではないが、処分場の仕様として、通常１０ｍｍ以上であることを求められていることから１枚の保護シート材は５ｍｍまたはそれ以上であることが望ましい。
【０００７】
この発明になる保護シートは処分場で敷き詰められる遮水シートの保護に用いられるが、遮水シート上に直接敷き詰めての使用はもちろんであるが、地盤の凹凸を吸収する等の目的を兼ねて遮水シートを挟み込む形で上下に２枚重ね合せるサンドイッチ構造とするような使い方であってもよく、通常保護層と呼ばれている層、すなわち、廃棄物が直接に接触する層である保護層として、本発明になる保護シートを用いても、充分に遮水シートの保護シートとしての機能を果すものである。
【０００８】
【発明の実施の形態】
図１はこの発明になる保護シートの実施の一例を示す縦断側面図である。
【０００９】
［実施例］
７５０ｇ／ｍ２で厚さ５ｍｍのポリエステル繊維のウエブに＃３２の針を用いて５０パンチ／ｍ２でニードルパンチ２を施して保護シート材３と３′を得た。またプラスチックフイルム１として厚さ１５０μのポリエチレンフイルムをスリットノズルから押出し、このポリエチレンフイルム１の両側に保護シート材３，３′を重ね合せて、温度２００℃、圧力１５Ｋｇ／ｃｍ２、時間８ｃｍ／秒の条件で加圧加熱してこれら３者を熱融着４して一体化し保護シートを得た。この保護シートの厚さは１０ｍｍであり、引張強度は２４０Ｋｇｆ／５ｃｍ。この保護シートの引張強度は、従来の屑綿による厚さ１０ｍｍのフエルトの引張強度はほぼ１００ｋｇｆ／５ｃｍ程度であることから、これに比してはるかに強大な引張強度であることを示し、処分場において敷き詰めた時、廃棄物の投棄、重機械の作業による強烈な衝撃にも耐えることを示している。
なおこれに用いたポリエチレンフイルムの流れ特性はＭＦＲ値は８０であった。
この発明になる保護シートに用いられるプラスチックフイルムの流れ特性はＭＦＲ値２０〜１００程度が好ましい。
【００１０】
【発明の効果】
この発明は以上に詳細に説明したように構成されているから、同じ厚さからなるフエルトに比較すると格段に強力な引張強度を有したものとなり、遮水シートの保護を強化したものとなり、また目的とする厚さの半分の厚さであるウエブにニードリングパンチを施せばよいので、パンチによる繊維の交絡効果は優れたものとなったものである。
このように保護シートの引張強度が格段に協力になったことから、保護シートの厚さを、仕様で求められている以上に厚くする必要がなく、また合成繊維を素材とすることから保護シートは他の繊維によるものより軽いものであることから、作業性にも優れたものとなった。
また假に保護シートに極めて異常な衝撃が加わった時、プラスチックフイルムより上に熱融着されている保護シート材が破断したとしても、プラスチックフイルムと、下の保護シート材には破断が及ばないで、これらが下方への洩出を止め、排水の役目を行うこととなる等、遮水シートに対する保護は万全のものとなった。
【図面の簡単な説明】
【図１】  この発明になる保護シートの実施の一例を示す縦断側面図。
【符号の説明】
１  プラスチックフイルム
２  ニードルパンチ
３，３′  保護シート材
４  熱融着
【図１】
0004232270.tif 000002
(57)【特許請求の範囲】
【請求項１】
車両の長手方向に循環する第１のコンベアと、車両の幅方向に循環する第２のコンベアを別々に設け、前記第１のコンベアと前記第２のコンベアとの間に第３のコンベアを備えたものにおいて、
前記第３のコンベアを複数の独立したコンベアで構成し、該独立したコンベアを昇降旋回機能付きコンベアにすることを特徴とする車両の搬送装置。
【請求項２】
前記昇降旋回機能付きコンベアを車両の幅方向に分離して配置することを特徴とする請求項１に記載の車両の搬送装置。
【請求項３】
前記分離して配置された昇降旋回機能付きコンベアの間には車両の幅方向に循環する渡しコンベアを設けたことを特徴とする請求項２に記載の車両の搬送装置。
【請求項４】
前記昇降旋回機能付きコンベアは、車両の各々の車輪を車両の長手方向及び幅方向に移動させることを特徴とする請求項２に記載の車両の搬送装置。
【発明の詳細な説明】
【０００１】
【発明の属する技術分野】
本発明は、直交する方向の何れにも自由に車両を搬送できる搬送装置に関するものである。
【０００２】
【従来の技術及び発明が解決しょうとする課題】
車両を長手方向から幅方向に、又その逆に幅方向から長手方向に自由に搬送できる汎用性の高い、例えばコンベアのようなものは、今まで存在しなかった。
【０００３】
本発明は、上記の点に鑑みなされたもので、直交する方向に自由に車両を搬送できる搬送装置を提供することを目的とする。
【０００４】
【課題を解決するための手段】
本発明は、車両の長手方向に循環する第１のコンベアと、車両の幅方向に循環する第２のコンベアを別々に設け、第１のコンベアと第２のコンベアとの間に第３のコンベアを備えたものにおいて、第３のコンベアを複数の独立したコンベアで構成し、該独立したコンベアを昇降旋回機能付きコンベアにするものである。
【０００５】
【発明の実施の形態】
本発明は、昇降旋回機能付きコンベアを利用して車両を直交方向に自由に搬送するものである。
【０００６】
【実施例】
以下、本発明の一実施例について、図面を用いて説明する。
図１は、本発明の一実施例を示す全体平面図、図２は図１の利用状況を説明するための説明図である。尚、矢印はコンベアの循環方向を示す。
【０００７】
図中、１は車両、１ａは車両１の運転席側の前輪、１ｂは車両１の助手席側の前輪、１ｃは車両１の運転席側の後輪、１ｄは車両１の助手席側の後輪、２は車両１の運転席側の前輪１a及び後輪１ｃを載せて車両１の長手方向に移動させるコンベア、３は車両１の助手席側の前輪１b及び後輪１ｄを載せて車両１の長手方向に移動させるコンベアである。
【０００８】
１１〜１８はそれぞれ独立の昇降旋回機能付きコンベアで、特にコンベア１１〜１４は全体が車両１の長手方向に移動自在に設置されている。２１は車両１の運転席側の前輪１ａを載せて長手方向に移動させるコンベア、２２は車両１の助手席側の前輪１ｂを載せて長い方向に移動させるコンベアである。
【０００９】
３１は車両１の前輪１ａを載せて車両１の幅方向に移動させる渡しコンベアで、コンベア１１，１２とコンベア１３，１４との間に設けられ、やはり車両１の長手方向に移動自在に設置されている。３２は車両１の後輪１ｃを載せて車両１の幅方向に移動させるコンベアで、コンベア１５，１６とコンベア１７，１８との間に設置されている。。
【００１０】
４１は車両１の前輪１ａ，１ｂを載せて車両の幅方向に移動させるコンベア、４２は車両１の後輪１ｃ，１ｄを載せて車両の幅方向に移動させるコンベアである。尚、車両における運転席側・助手席側の前輪・後輪というのは、説明の便宜上付けた名称であり、特別な意味はない。
【００１１】
次に、本発明装置の動作について図面を用いて説明する。
図１に示すように、コンベア２，３上に車両１が載っている状態から、まずコンベア２，3が車両１の長手方向（矢印方向）に移動し始め、同時にコンベア１１〜１８及びコンベア２１，２２も矢印方向に移動し、図２（ａ）に示す状態まで車両１を搬送する。
【００１２】
即ち、車両１の前輪１ａはコンベア１１と１２に跨った状態、又前輪１ｂはコンベア１３と１４に跨った状態で、一方車両１の後輪１ｃはコンベア１６上、後輪１ｄはコンベア１８上に載った状態である。この状態の時、コンベアは全て一旦停止する。
【００１３】
次に、コンベア１１〜１４が車両１の長手方向に揃って移動して図２（ｂ）の状態に移行する。この時、車両１の後輪１ｃはコンベア１５と１６に跨った状態、後輪１ｄはコンベア１７と１８に跨った状態に変位する。
【００１４】
次に、コンベア１３だけを下降させ９０°旋回させて上昇させ図２（ｃ）に示す状態に移行させる。これと同じことをコンベア１１，１２，１４，１５，１６，１７，１８について順次行い、図２（ｄ）に示す状態まで移行させる。
【００１５】
そして、今度はコンベア１１〜１８，３１，３２，４１，４２を一斉に車両１の幅方向（矢印方向）に移動させれば、車両１は横方向に搬送されて、最終的には図２（ｅ）に示すように、コンベア４１，４２上に車両１が載った状態に落ち着く。この時、全てのコンベアは停止して、搬送動作を終了する。
【００１６】
この一連の動作を逆に行うと、図２（ｅ）の状態から図１の状態に車両を搬送でき、互いに直交する方向に車両を自由に搬送できるのが分かる。
【００１７】
尚、以上の説明において、コンベア２と３、コンベア２１とコンベア２２、コンベア３１と３２及びコンベア４１と４２はそれぞれ一体のコンベアであってもよく、又コンベア１１と１２、１３と１４、１５と１６、１７と１８も一体のコンベアであってもよい。敢えて分離しなければならない理由は特にない。
【００１８】
【発明の効果】
以上述べたように本発明によれば、車両を直交方向に自由に搬送できるため、極めて使い勝手の良い搬送装置を得ることができる。
【図面の簡単な説明】
【図１】本発明の一実施例を示す全体平面図である。
【図２】本発明の利用状況を説明するための説明図である。
【符号の説明】
１  車両
１ａ，１ｂ  車両１の前輪
１ｃ，１ｄ  車両１の後輪
２、３，２１，２２，３１，３２，４１，４２  コンベア
１１、１２，１３，１４，１５，１６，１７，１８  昇降旋回機能付きコンベア
【図１】
0004232294.tif 000002
【図２】
0004232294.tif 000003
(57)【特許請求の範囲】
【請求項１】
アクセサリにＶばねの中央部を装着し、器具本体に前記Ｖばねの両足を受けるばね受け台を設けるアクセサリの取付構造において、前記ばね受け台に前記Ｖばねを小さく開いた状態で受ける凹部を有する第１の受け部と大きく開いた状態で受ける別の凹部を有する第２の受け部を形成し、前記第１の受け部の凹部に比べ小さい反発力で前記第２の受け部の凹部から前記Ｖばねを取り外し可能としたことを特徴とする照明器具用アクセサリ取付構造。
【発明の詳細な説明】
【０００１】
【発明の属する技術分野】
本発明はアクセサリにＶばねの中央部を装着し、器具本体に前記Ｖばねの両足を受けるばね受け台を設ける照明器具用アクセサリ取付構造に関する。
【０００２】
【従来の技術】
従来のばね受け台はＶばねを小さく開いた状態で該Ｖばねの両足を受ける受け部を持つ。Ｖばねを小さく開いた状態で該Ｖばねをばね受け台から外す。その際に、Ｖばねの反発力が強いため、手からＶばねが外れてアクセサリを破損することがある。
【０００３】
【発明が解決しようとする課題】
本発明の目的は、Ｖばねをばね受け台から外す際のＶばねの反発力を弱め、アクセサリ破損を防止をすることである。
【０００４】
【課題を解決するための手段】
ばね受け台にＶばねを小さく開いた状態で受ける受け部と大きく開いた状態で受ける受け部を形成する。Ｖばねを前者から後者へ移し、その後にＶばねをばね受け台から取り外す。
【０００５】
【発明の実施の形態】
図１〜図８を用いて本発明の実施形態について説明する。図示の照明器具は天井面に埋め込まれる器具本体４を備える。器具本体４の下面に着脱自在に装着されるアクセサリ５を備える。アクセサリ５の例は図示の透光カバーまたはルーバである。アクセサリ５にＶばね１の中央部１ａを装着する。器具本体４にＶばね１の両足１ｂを受けるばね受け台２を設ける。本発明においては、ばね受け台２にＶばね１を小さく開いた状態で受ける受け部２ａと大きく開いた状態で受ける受け部２ｂを形成する。常時は図１・図６の状態である。その状態から図２・図７を経て図３・図８の状態とし、その状態でＶばね１をばね受け台２から取り外す。図１・図６から図２・図７へはアクセサリ５を引き落とす操作である。図２・図７から図３・図８へはＶばね１の両足１ｂを手ですぼめて受け部２ａから２ｂへ移す操作である。Ｖばね１の両足１ｂの角度は図２ではＡであり図３ではそれより大きなＢである。図３のＢの状態はＶばね１のばねとしての反発力が小さい。このため、図３の状態からＶばね１を取り外す操作は容易である。その際に、手からＶばね１が外れても反発力が弱いため、アクセサリ５破損の心配はない。図示の実施例においては、受け部２ａを高所に形成し、受け部２ｂを低所に形成する。それによって図２の寸法Ｃと図３の寸法Ｃ’を近似させる。図示のそれはＣ＝Ｃ’である。図２から図３への変化の過程で、Ｖばね１の中央部１ａの高さが不変となり、中央部１ａに繋がるアクセサリ５の高さも不変となり、受け部２ａから受け部２ｂへ移し変える操作が容易になる。
【０００６】
【発明の効果】
本発明によれば、アクセサリ取外しの際、Ｖばねを適度に開きその後にばね受け台から外すため、外す際のＶばねの反発力が弱まり、手からＶばねが外れてもアクセサリ破損を防ぐことができる。
【図面の簡単な説明】
【図１】本発明の常態におけるＶばねとばね受け台を示す正面図である。
【図２】Ｖばねを小さく開いた状態における前記同様の正面図である。
【図３】Ｖばねを大きく開いた状態における前記同様の正面図である。
【図４】ばね受け台の右側面図である。
【図５】ばね受け台の平面図である。
【図６】本発明に係る照明器具の斜視図である。
【図７】図２に対応する前記同様の斜視図である。
【図８】図３に対応する前記同様の斜視図である。
１：Ｖばね、１ａ：中央部、１ｂ：足、２：ばね受け台、２ａ：受け部、
２ｂ：受け部、４：器具本体、５：アクセサリ
【図１】
0004232221.tif 000002
【図２】
0004232221.tif 000003
【図３】
0004232221.tif 000004
【図４】
0004232221.tif 000005
【図５】
0004232221.tif 000006
【図６】
0004232221.tif 000007
【図７】
0004232221.tif 000008
【図８】
0004232221.tif 000009